(57)【要約】      （修正有）【課題】  部品点数を少なくでき装置本体の上下への移動を規制でき、天ケースに打コン防止用のラバを貼る必要がなく装置本体と天ケースとの隙間を大きくとる必要がなく装置の薄型化を図れ、装置本体とその下側の基板上の１次側の部品の沿面距離を保てる。【解決手段】  装置本体１の下面に前後２枚のサポート板２を取付けサポート板の前後左右４箇所に防振対策用クッション３を取付け、装置本体をサポート板を介してブラケット４に設置しブラケットに４箇所の係入孔４ａが形成されサポート板における係入孔に対応する箇所に略Ｌ字形に形成したフック部２ａが設けられ、フック部の基部にブラケットの上面に当接可能なリブ２ｂが設けられ装置本体が上向きに移動するとサポート板のフック部がブラケットの係入孔の縁部に当接し、装置本体の上方移動が規制され装置本体が沈んだときにサポート板のリブがブラケットの上面に当接して装置本体の沈み込みを規制する。【選択図】  図２
2007141388.tif 000002
【特許請求の範囲】
【請求項１】
装置本体の下面に前後２枚のサポート板が取り付けられ、前記サポート板の前後左右４箇所に防振対策用クッションが取り付けられ、前記装置本体を前記サポート板を介してブラケットの上面に設置するようにしたＨＤＤ装置において、前記ブラケットの上面には前後左右４箇所の係入孔が形成されており、前記サポート板における前記係入孔に対応する箇所に下向きに略Ｌ字形に屈曲形成されたフック部が設けられ、これらフック部の基部に前記ブラケットの上面に当接可能な下向きのリブが設けられていて、前記装置本体が上向きに移動したときに前記サポート板の前記フック部が前記ブラケットの係入孔の縁部に当接して前記装置本体の上側への移動が規制され、前記装置本体が下向きに沈んだときに前記サポート板の前記下向きのリブが前記ブラケットの上面に当接して前記装置本体の下向きの沈み込みが規制されるように構成したことを特徴とするＨＤＤ装置。
【請求項２】
装置本体の下面に前後２枚のサポート板が取り付けられ、前記サポート板の前後左右４箇所に防振対策用クッションが取り付けられ、前記装置本体を前記サポート板を介してブラケットの上面に設置するようにしたＨＤＤ装置において、前記ブラケットの上面には複数の係入孔が形成されており、前記サポート板における前記複数の係入孔に対応する箇所にフック部が設けられ、これらフック部から選択された２以上の基部に前記ブラケットの上面に当接可能な下向きのリブが設けられていて、前記装置本体が上向きに移動したときに前記サポート板の前記フック部が前記ブラケットの係入孔の縁部に当接して前記装置本体の上側への移動が規制され、前記装置本体が下向きに沈んだときに前記サポート板の前記下向きのリブが前記ブラケットの上面に当接して前記装置本体の沈み込みが規制されるように構成したことを特徴とするＨＤＤ装置。
【請求項３】
前記フック部は前記サポート板の前後左右４箇所に設けられ、対角線上位置の２箇所のフック部の基部に前記下向きのリブが設けられている請求項２に記載のＨＤＤ装置。
【請求項４】
前記フック部は下向きに略Ｌ字形に屈曲形成されており、このフック部における前記ブラケットの下面に当接する上面に緩衝部材が取り付けられている請求項２又は３に記載のＨＤＤ装置。
【発明の詳細な説明】
【技術分野】
【０００１】
本発明は、装置本体の下面に前後２枚のサポート板が取り付けられ、前記サポート板の前後左右４箇所に防振対策用クッションが取り付けられ、前記装置本体を前記サポート板を介してブラケットの上面に設置するようにしたＨＤＤ装置に関し、特に、装置本体の上下の移動を規制するようにしたＨＤＤ装置に関するものである。
【背景技術】
【０００２】
従来、ＨＤＤ装置は、装置本体を前後２枚のサポート板を介してブラケットに取り付けるようにしている。これらのサポート板には、孔が合計４箇所形成され、この部分の上下面に防振対策用クッションが取り付けられていて、落下試験のとき等の衝撃を緩和している。ところが、クッションはゴム製であるために、装置本体をねじ止めしても、上下方向に引っ張り上げたり、押し下げたりすると装置本体が上下に移動し、落下試験のときなどに装置本体が上下に動くことで、天ケースの裏面と装置本体が接触し、天ケースに打コンが発生したり、装置本体の下側に配置している基板上の１次側の部品と装置本体との距離が近くなってしまって沿面距離が取れなくなる虞があるという問題があった。
【０００３】
第１の従来技術を図４に示す。この従来の電子機器は、図４に示すように、ディスク装置１４０は、ハードディスクドライブ１０１、ＨＤＤ１０１の筐体１１１の縁部１０１ａに取り付けられたダンパ１４２、ダンパ１４２を収容して保持することでＨＤＤ１０１を支持したシャーシ１４４、プリント回路基板１４６、およびＨＤＤ１０１、ダンパ１４２、シャーシ１４４、ＰＣＢ１４６を収容したケース１５１、１５２を有する。シャーシ１４４の上板１４４ａおよび下板１４４ｂは、ダンパ１４２の変形に応じて変形可能な可撓性を有するものである。（例えば、特許文献１参照）。
【０００４】
ところが、これにおいては、部品点数が多く、組み付けに手間がかかるという問題があった。
【０００５】
第２の従来技術を図５に示す。この従来の精密機器装置は、図５に示すように、磁気ディスク装置２０１を収容する収納ケース２０４ａが、ケースベース２０５ａとケースカバー１０６ａから構成される。ケースベース２０５ａの内壁面には、衝突時に磁気ディスク装置２０１が接触する姿勢制御用ピン（突起部）２０７ａ〜２０７ｅが形成され、また内壁面のコーナ部には磁気ディスク装置２０１の面取り部にこれを支持する支持用三角柱２０８ａ、２０８ｂが形成されている。支持用三角柱はケースカバー２０６ａの内壁面にも形成されている。衝突時には収納ケース２０４ａの衝突面が姿勢制御用ピンを中心として下に凸の曲面を形成し、磁気ディスク装置２０１は収納ケース２０４ａと共に揺動して衝突エネルギーを散逸させる。（例えば、特許文献２参照）。
【０００６】
ところが、これにおいては、外部からの衝撃を防止する構造であり、磁気ディスク装置２０１の防振構造ではない。
【特許文献１】特開２００４−１４０３１号公報
【特許文献２】特開２００２−１０９８６９号公報
【発明の開示】
【発明が解決しようとする課題】
【０００７】
本発明は、上記従来の問題に鑑みてなされたものであって、部品点数を少なくすることができ、装置本体の上下への移動を規制することができ、天ケースに打コン防止用のラバなどを貼る必要がなく、しかも装置本体と天ケースとの隙間を大きくとる必要がなくて装置の薄型化を図ることができ、且つ装置本体の下側に配置している基板上の１次側の部品と装置本体との沿面距離を保つことができるＨＤＤ装置を提供することを目的としている。
【課題を解決するための手段】
【０００８】
本発明は、上記課題を解決するために提案されたものであって、請求項１に記載の発明は、装置本体の下面に前後２枚のサポート板が取り付けられ、前記サポート板の前後左右４箇所に防振対策用クッションが取り付けられ、前記装置本体を前記サポート板を介してブラケットの上面に設置するようにしたＨＤＤ装置において、前記ブラケットの上面には前後左右４箇所の係入孔が形成されており、前記サポート板における前記係入孔に対応する箇所に下向きに略Ｌ字形に屈曲形成されたフック部が設けられ、これらフック部の基部に前記ブラケットの上面に当接可能な下向きのリブが設けられていて、前記装置本体が上向きに移動したときに前記サポート板の前記フック部が前記ブラケットの係入孔の縁部に当接して前記装置本体の上側への移動が規制され、前記装置本体が下向きに沈んだときに前記サポート板の前記下向きのリブが前記ブラケットの上面に当接して前記装置本体の下向きの沈み込みが規制されるように構成したことを特徴としている。
【０００９】
請求項２に記載の発明は、装置本体の下面に前後２枚のサポート板が取り付けられ、前記サポート板の前後左右４箇所に防振対策用クッションが取り付けられ、前記装置本体を前記サポート板を介してブラケットの上面に設置するようにしたＨＤＤ装置において、前記ブラケットの上面には複数の係入孔が形成されており、前記サポート板における前記複数の係入孔に対応する箇所にフック部が設けられ、これらフック部から選択された２以上の基部に前記ブラケットの上面に当接可能な下向きのリブが設けられていて、前記装置本体が上向きに移動したときに前記サポート板の前記フック部が前記ブラケットの係入孔の縁部に当接して前記装置本体の上側への移動が規制され、前記装置本体が下向きに沈んだときに前記サポート板の前記下向きのリブが前記ブラケットの上面に当接して前記装置本体の沈み込みが規制されるように構成したことを特徴としている。
【００１０】
請求項３に記載の発明は、請求項２に記載の発明において、前記フック部は前記サポート板の前後左右４箇所に設けられ、対角線上位置の２箇所のフック部の基部に前記下向きのリブが設けられている。
【００１１】
請求項４に記載の発明は、請求項２又は３に記載の発明において、前記フック部は下向きに略Ｌ字形に屈曲形成されており、このフック部における前記ブラケットの下面に当接する上面に緩衝部材が取り付けられている。
【発明の効果】
【００１２】
請求項１に記載の発明によれば、装置本体が落下試験などで上向きに移動した際に、サポート板に設けられたフック部がブラケットの係入孔の縁部に当接して上側への移動が規制されるので、装置本体が天ケースに当接することがなく、天ケースに打コンが発生することを防止できる。このことにより、天ケースにラバーなどを貼る必要がない。また、装置本体が下向きに沈んだ際に、下向きのリブがブラケットの上面に当接して下向きの沈み込みが規制されるので、装置本体の下側に配置される基板上の１次側の部品との沿面距離を保つことができる。更に、２枚のサポート板の前後左右４箇所にフック部と下向きのリブが設けられているので、装置本体の全体の上向きの移動と下向きの沈み込みを規制することができる。
【００１３】
請求項２に記載の発明によれば、装置本体が落下試験などで上向きに移動した際に、サポート板に設けられたフック部がブラケットの係入孔の縁部に当接して上側への移動が規制されるので、装置本体が天ケースに当接することがなく、天ケースに打コンが発生することを防止できる。このことにより、天ケースにラバーなどを貼る必要がない。また、装置本体が下向きに沈んだ際に、下向きのリブがブラケットの上面に当接して下向きの沈み込みが規制されるので、装置本体の下側に配置される基板上の１次側の部品との沿面距離を保つことができる。
【００１４】
請求項３に記載の発明によれば、サポート板の前後左右４箇所のうち、対角線上位置の２箇所に下向きのリブが設けられているので、装置本体の沈み込みをこの２箇所の下向きのリブで十分規制することができる。
【００１５】
請求項４に記載の発明によれば、フック部の上面に緩衝部材が取り付けられているから、このフック部が装置本体の上向きの移動の際に、ブラケットの係入孔の縁部に当接することにより、当接による衝撃を緩和することができる。
【発明を実施するための最良の形態】
【００１６】
以下、本発明に係るＨＤＤ装置の実施の形態について、図を参照しつつ説明する。
【００１７】
図１は第１実施形態のＨＤＤ装置の分解斜視図、図２（ａ）は同装置の組み付け完了時の正面図、（ｂ）はその要部の部分斜視図である。
【００１８】
この第１実施形態のＨＤＤ装置は、図１に示すように、装置本体１の下面の幅方向両縁部近傍箇所に前後２枚のサポート板２、２が取り付けられている。これらのサポート板２、２の前後左右計４箇所に溝部が設けられ、この溝部の上下にゴム材からなる防振対策用クッション３がそれぞれ取り付けられている。更に、この装置本体１に取り付けられた２枚のサポート板２、２は、ブラケット４の上面に着脱可能に設置されるようになっている。ブラケット４の上面には、前後左右４箇所に四辺形の係入孔４ａが形成され、前記サポート板２、２における４箇所の係入孔４ａに対応する箇所に下向きに略Ｌ字形に屈曲形成されたフック部２ａが設けられている。これらフック部２ａのうち対角線上位置の２箇所のフック部２ａの基部に下向きのリブ２ｂが設けられている。尚、下向きのリブ２ｂは４箇所のフック部２ａの全ての基部に下向きに設けられていてもよい。
【００１９】
図２（ａ）（ｂ）に示すように、サポート板２、２を取り付けた装置本体１をブラケット４の上面に設置するには、サポート板２、２のフック部２ａをブラケット４の上面の係入孔４ａにそれぞれ係入する。装置本体１が落下試験などによって上向きに移動したときに、サポート板２、２のフック部２ａがブラケット４の係入孔４ａの縁部にそれぞれ当接して装置本体１の上側の移動が規制される。また、装置本体１が下向きに沈んだときにサポート板２、２の下向きのリブ２ｂがブラケット４の上面に当接して装置本体１の沈み込みが規制される。
【００２０】
従って、この第１実施形態によれば、装置本体１が落下試験などで上向きに移動した際に、サポート２、２板に設けられたフック部２ａがブラケット     ４の係入孔４ａの縁部に当接して上側への移動が規制されるので、装置本体１が天ケース５に当接することがなく、天ケース５に打コンが発生することを防止できる。このことにより、天ケース５にラバーなどを貼る必要がない。また、装置本体１が下向きに沈んだ際に、下向きのリブ２ｂがブラケット４の上面に当接して下向きの沈み込みが規制されるので、装置本体１の下側に配置される基板上の１次側の部品との沿面距離を保つことができる。
【００２１】
図３は第２実施形態のＨＤＤ装置の組み付け完了時の正面図である。尚、上記した第１実施形態と同一部材、同一箇所には同一符号を付してその説明を省略する。
【００２２】
この第２実施形態のＨＤＤ装置は、図３に示すように、サポート板２のフック部２ａの上面にゴム材などからなる緩衝部材６が貼り付けによって取り付けられている。
【００２３】
この第２実施形態によれば、フック部２ａの上面に緩衝部材６が取り付けられているから、このフック部２ａが装置本体１の上向きの移動の際に、ブラケット４の係入孔４ａの縁部に当接することにより、当接による衝撃を緩和することができる。
【図面の簡単な説明】
【００２４】
【図１】第１実施形態のＨＤＤ装置の分解斜視図である。
【図２】（ａ）は同装置の組み付け完了時の正面図、（ｂ）はその要部の部分斜視図である。
【図３】第２実施形態のＨＤＤ装置の組み付け完了時の正面図である。
【図４】従来の電子機器の分解斜視図である。
【図５】従来の精密機器装置の分解斜視図である。
【符号の説明】
【００２５】
１        装置本体
２        サポート板
２ａ      フック部
２ｂ      リブ
３        防振対策用クッション
４        ブラケット
４ａ      係入孔
５        天ケース
６        緩衝部材
【図２】
2007141388.tif 000003
【図１】
2007141388.tif 000004
【図３】
2007141388.tif 000005
【図４】
2007141388.tif 000006
【図５】
2007141388.tif 000007